(57)【要約】      （修正有）【課題】指定外の券紙による券媒体の発行を防止することができる発券機を提供する。【解決手段】発券機は、供給部３１と、コードリーダ３０と、判定部と、発券制御部と、を備える。供給部は、第１光により読み取り可能となる第１印刷領域を有する第１種別の券紙５０Ａ、又は、第１光による読み取りが防止され、第１光と異なる第２光により読み取り可能となる第２印刷領域を有する第２種別の券紙５０Ｂの何れかを供給する。コードリーダは、券紙からコードを読み取る。判定部は、コードの読み取り結果に基づいて、券紙が第１種別又は第２種別の何れかを判定する。発券制御部は、判定部が券紙を第１種別と判定した場合、所定のコードを印刷した券媒体２を発券しない。【選択図】図２
2016133931.tif 000002
【特許請求の範囲】
【請求項１】
情報が印刷された場合に第１光により前記情報が読み取り可能となる第１印刷領域を有する第１種別の券紙、又は、前記情報が印刷された場合に前記第１光による前記情報の読み取りが防止され前記第１光の第１波長帯と異なる第２波長帯の第２光により前記情報が読み取り可能となる第２印刷領域を有する第２種別の券紙の何れかを供給する供給部と、
前記第１光及び前記第２光の少なくとも一方により、前記供給される券紙からコードを読み取るコードリーダと、
前記コードリーダによる前記コードの読み取り結果に基づいて、前記供給される券紙が前記第１種別又は第２種別の何れかであるか判定する判定部と、
前記判定部が前記供給される券紙を前記第２種別と判定した場合、前記供給される券紙を用いて所定のコードを印刷した券媒体を発券し、前記判定部が前記供給される券紙を前記第１種別と判定した場合、前記供給される券紙を用いて所定のコードを印刷した券媒体を発券しない発券制御部と、
を備える発券機。
【請求項２】
前記第２種別の券紙の前記第２印刷領域は、所定の間隔で印刷された第１コードを含み、
前記コードリーダは、前記第２光により前記供給される券紙から前記第１コードを読み取る第２光リーダを備え、
前記判定部は、前記第２光リーダが前記供給される券紙から前記第１コードを読み取れなかった場合に前記供給される券紙を前記第１種別と判定し、読み取れた場合に前記供給される券紙を前記第２種別と判定する、
前記請求項１に記載の発券機。
【請求項３】
前記供給される券紙から所定サイズの前記券媒体を切り出す切出部を備え、
前記第２光リーダは、前記供給される券紙から前記第１コードを読み取る、
前記請求項２に記載の発券機。
【請求項４】
前記供給される券紙から所定サイズの前記券媒体を切り出す切出部を備え、
前記第２光リーダは、前記切出部が切り出した前記券媒体から前記第１コードを読み取る、
前記請求項２に記載の発券機。
【請求項５】
前記第１コードは、前記供給される券紙の種別を示す券紙識別用コードである、
前記請求項２乃至４の何れか１項に記載の発券機。
【請求項６】
前記第１コードは、２次元コードである、
前記請求項２乃至５の何れか１項に記載の発券機。
【請求項７】
前記供給される券紙に前記所定のコードとして第２コードを印刷する印刷部を備え、
前記コードリーダは、前記第１光により前記印刷部が印刷した前記第２コードを読み取る第１光リーダを備え、
前記判定部は、前記第１光リーダが前記供給された券紙から前記第２コードを読み取れた場合に、前記供給される券紙を前記第１種別と判定し、読み取れなかった場合に、前記供給される券紙を前記第２種別と判定する、
前記請求項１乃至６の何れか１項に記載の発券機。
【請求項８】
前記第２コードは、乗車券情報を示す乗車券コードである、
前記請求項７に記載の発券機。
【請求項９】
前記第２コードは、２次元コードである、
前記請求項７又は８に記載の発券機。
【請求項１０】
前記判定部が前記供給される券紙を前記第１種別と判定した場合に、前記供給される券紙から切り出された前記券媒体を回収する回収部を備える、
前記請求項１乃至９の何れか１項に記載の発券機。
【請求項１１】
前記第２光は、不可視光である、
前記請求項１乃至１０の何れか１項に記載の発券機。
【発明の詳細な説明】
【技術分野】
【０００１】
本発明の実施形態は、発券機に関する。
【背景技術】
【０００２】
駅などに設置される発券機には、複製による偽造を防止するための複製防止印刷領域（隠蔽層）を備える券紙（指定券紙）を用いて二次元コード等が印刷された乗車券など券媒体を発行するものがある。例えば、複製防止領域に印刷された二次元コード等は、複写機等の読み取り光（可視光）で読み取ることは難しく、券媒体の複製が防止される。
【先行技術文献】
【特許文献】
【０００３】
【特許文献１】特開２０１３−１９１０１８号
【発明の概要】
【発明が解決しようとする課題】
【０００４】
駅の係員などが発券機に券紙を補充するが、複製防止印刷領域を備えない券紙（指定外の券紙）が補充されてしまうと、当該指定外の券紙を用いて発行された、二次元コード等が印刷された券媒体は複製に対して無防備となる。
【０００５】
上記の課題を解決するため、指定外の券紙による券媒体の発行を防止することができる発券機を提供する。
【課題を解決するための手段】
【０００６】
実施形態によれば、発券機は、供給部と、コードリーダと、判定部と、発券制御部と、を備える。供給部は、情報が印刷された場合に第１光により前記情報が読み取り可能となる第１印刷領域を有する第１種別の券紙、又は、前記情報が印刷された場合に前記第１光による前記情報の読み取りが防止され前記第１光の第１波長帯と異なる第２波長帯の第２光により前記情報が読み取り可能となる第２印刷領域を有する第２種別の券紙の何れかを供給する。コードリーダは、前記第１光及び前記第２光の少なくとも一方により、前記供給される券紙からコードを読み取る。判定部は、前記コードリーダによる前記コードの読み取り結果に基づいて、前記供給される券紙が前記第１種別又は第２種別の何れかを判定する。発券制御部は、前記判定部が前記供給される券紙を前記第２種別と判定した場合、前記供給される券紙を用いて所定のコードを印刷した券媒体を発券し、前記判定部が前記供給される券紙を前記第１種別と判定した場合、前記供給される券紙を用いて所定のコードを印刷した券媒体を発券しない。
【図面の簡単な説明】
【０００７】
【図１】図１は、第１実施形態に係る発券機の構成例を示すブロック図である。
【図２】図２は、第１実施形態に係る発行部の構成例を示す図である。
【図３Ａ】図３Ａは、第１実施形態に係る発券機で処理可能な券紙（指定外の券紙）の構成例を示す図である。
【図３Ｂ】図３Ｂは、第１実施形態に係る発券機で処理可能な券紙（指定券紙）の構成例を示す図である。
【図４】図４は、第１実施形態に係る券媒体の構成例を示す図である。
【図５】図５は、第２実施形態に係る発行部の構成例を示す図である。
【図６】図６は、第３実施形態に係る発行部の構成例を示す図である。
【発明を実施するための形態】
【０００８】
以下、図面を参照しながら実施形態について説明する。
【０００９】
（第１実施形態）
まず、第１実施形態について説明する。  
実施形態に係る発券機は、利用者に対して種々の券媒体を発行する。たとえば、発券機は、駅などに設置される自動券売機として用いられる。この場合、発券機は、利用客又は係員などの操作に基づいて、券媒体として乗車券又は特急券などを発行する。また、発券機は、精算機として用いられる。この場合、発券機は、利用客又は係員などの操作に基づいて、券媒体として精算券などを発行する。
【００１０】
また、発券機は、券媒体としてテーマパーク又は映画館などのチケットを発行してもよい。また、発券機は、券媒体として飲食店などで食券を発行してもよい。
【００１１】
券売機が用いられる用途及び券媒体の内容は、特定の構成に限定されるものではない。
【００１２】
図１は、実施形態に係る発券機の構成例を示すブロック図である。  
図１が示すように、発券機１は、ＣＰＵ１１、ＲＯＭ１２、ＲＡＭ１３、ＮＶＭ１４、通信部１５、表示部１６、操作部１７、磁気券処理部１８、カードリーダライタ１９、金額処理部２０、及び、発行部２１などを備える。発券機１は、データバスなどを介してＣＰＵ１１と、ＲＯＭ１２、ＲＡＭ１３、ＮＶＭ１４、通信部１５、表示部１６、操作部１７、磁気券処理部１８、カードリーダライタ１９、金額処理部２０、及び、発行部２１とを通信可能に接続する。
【００１３】
ＣＰＵ１１は、発券機１全体の動作（発券処理含む）を制御する機能を有する。ＣＰＵ１１は、内部キャッシュおよび各種のインターフェースなどを備えても良い。ＣＰＵ１１は、内部メモリ、ＲＯＭ１２あるいはＮＶＭ１４に予め記憶したプログラムを実行することにより種々の処理を実現する。
【００１４】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００１５】
ＲＯＭ１２は、予め制御用のプログラム及び制御データなどが記憶された不揮発性のメモリである。ＲＯＭ１２に記憶される制御プログラム及び制御データは、予め発券機１の仕様に応じて組み込まれる。ＲＯＭ１２は、たとえば、発券機１の回路基板を制御するプログラム（例えば、ＢＩＯＳ）などを格納している。
【００１６】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納している。また、ＲＡＭ１３は、アプリケーションプログラムの実行に必要なデータ及びアプリケーションプログラムの実行結果などを格納してもよい。
【００１７】
ＮＶＭ１４は、データの書き込み及び書き換えが可能な不揮発性のメモリである。ＮＶＭ１４は、例えばＥＥＰＲＯＭ（Electric Erasable Programmable Read-Only Memory）、ＨＤＤ（Hard Disc Drive）、あるいはＳＳＤ（Solid State Drive）などである。ＮＶＭ１４は、発券機１の運用用途に応じて制御プログラム、アプリケーション、及び種々のデータを格納する。また、ＮＶＭ１４は、ＣＰＵ１１が種々の処理を実行することで生成したデータを保存する。
【００１８】
通信部１５は、上位装置としてのホストコンピュータなどとの通信を行うインターフェースである。
【００１９】
表示部１６は、ＣＰＵ１１からの信号に基づいて種々の情報を表示するものである。たとえば、表示部１６は、乗車券を選択するアイコンなどを表示してもよい。表示部１６は、たとえば、液晶ディスプレイなどである。
【００２０】
操作部１７は、発券機１の操作者によって、種々の指示が入力される。操作部１７は、操作者に入力された指示のデータをＣＰＵ１１へ送信する。操作部１７は、たとえば、キーボード、テンキー、及び、タッチパネルなどである。
【００２１】
なお、表示部１６と操作部１７とは、一体的に形成されてもよい。即ち、表示部１６は、指示を入力するためのアイコンを表示し、操作部１７は、アイコンがタッチされることで指示の入力を受け付けてもよい。
【００２２】
磁気券処理部１８は、磁気定期券に記録されている磁気情報を読み取り、又は、磁気定期券に磁気情報を書き込む。
【００２３】
カードリーダライタ１９は、ＩＣカードに記録されている情報を読み取り、又は、ＩＣカードに情報を書き込む。
【００２４】
金額処理部２０は、駅の係員が投入した現金あるいは金額カード（プリペイドカードやクレジットカード）を処理するものである。たとえば、金額処理部２０は、駅の係員が投入した現金を集計し、駅の係員が投入した現金の金額を決定する。また、金額処理部２０は、釣銭を放出する機能を有する。たとえば、金額処理部２０は、ＣＰＵ１１からの命令に基づいて、釣銭を放出する。
【００２５】
発行部２１は、ＣＰＵ１１の制御に基づいて、発券処理等を実行し、例えば乗車券情報が印刷された券媒体２を放出する。乗車券情報は、利用可能な乗車区間などを示す。たとえば、乗車券情報は、発着駅、及び、有効区間などを備える。有効区間は、たとえば、終着駅又は乗車料金などである。乗車券情報は、鉄道会社又は有効期限などを備えてもよい。乗車券情報は、特定の構成に限定されるものではない。
【００２６】
また、発行部２１は、乗車券情報を二次元コードとして券媒体２に印刷する。
【００２７】
発行部２１については後述する。
【００２８】
なお、発券機１は、上述した構成以外の構成要素を適宜追加しても良いし、特定の構成を除外してもよい。
【００２９】
券媒体２は、発券機１が発行する券媒体である。券媒体２については、後述する。
【００３０】
次に、発行部２１の構成例について説明する。  
図２は、発行部２１の構成例を示す。  
図２が示すように、発行部２１は、コードリーダ３０、収容部３１、カット部３３、印刷部３４、搬送制御部３６、回収部３７、排出部３８及び第１搬送部３９などを備える。
【００３１】
コードリーダ３０は、券紙５０Ａ又は５０Ｂから種々のコードを読み取る。たとえば、コードリーダ３０は、券紙５０Ａ又は５０Ｂから２次元バーコードを読み取る。コードリーダ３０は、たとえば、光を券媒体２に照射してその反射光を取得することで、券媒体２からコードを読み取る。
【００３２】
コードリーダ３０は、専用光リーダ３２及び通常光リーダ３５などを備える。専用光リーダ３２及び通常光リーダ３５については後述する。
【００３３】
収容部３１（供給部）は、券媒体２を構成する券紙５０Ａ又は５０Ｂを収容し、収容した券紙５０Ａ又は５０Ｂを供給する。収容部３１は、券紙５０Ａ又は５０Ｂをロール状に収容する。収容部３１は、ロール状の券紙５０Ａ又は５０Ｂを支える軸、及び券紙５０Ａ又は５０Ｂを送り出し、券紙５０Ａ又は５０Ｂを供給する搬送ローラなどを備えてもよい。たとえば、収容部３１は、ＣＰＵ１１からの信号に基づいて軸又は搬送ローラなどを回転させ、券紙５０Ａ又は５０Ｂの先端を排出する。
【００３４】
図３Ａは、券紙５０Ａ（第１種別の券紙）の構成例を示す。
【００３５】
券紙５０Ａは、ベルト状の感熱媒体である。券紙５０Ａは、外部から熱を加えられると、加えられた部分が所定の色に変化する。たとえば、券紙５０Ａは、熱により黒色に変化する。たとえば、券紙５０Ａは、紙、プラスチック、又は、ビニールなどである。
【００３６】
図３Ａが示すように、券紙５０Ａは、可視領域（第１印刷領域）５４を備える。可視領域５４は、感熱媒体に対応して形成される。例えば、券紙５０Ａの一方の面（全面）は、可視領域５４である。
【００３７】
例えば、通常光（第１光）により、可視領域５４に対応する感熱媒体の変色に対応する反射光を得ることができる。即ち、可視領域５４（第１記録領域）は、通常光を用いて情報（コード）が読み取られる領域である。専用光は、たとえば、肉眼で認識可能な可視光である。
【００３８】
図３Ｂは、券紙５０Ｂ（第２種別の券紙）の構成例を示す。
【００３９】
券紙５０Ｂは、ベルト状の感熱媒体である。券紙５０Ｂは、外部から熱を加えられると、加えられた部分が所定の色に変化する。たとえば、券紙５０Ｂは、熱により黒色に変化する。たとえば、券紙５０Ｂは、紙、プラスチック、又は、ビニールなどである。
【００４０】
図３Ｂが示すように、券紙５０Ｂは、可視領域（第１印刷領域）５４、隠蔽層（第２印刷領域）５１、及び、券紙識別用コード５２などを備える。
【００４１】
可視領域５４は、感熱媒体に対応して形成される。例えば、券紙５０Ｂの一方の面（全面）は、可視領域５４である。隠蔽層５１は、可視領域５４の一部に複製防止画像（黒やグレーのドット画像等）を印刷して形成することができ、券紙５０Ｂの少なくとも一部にベルト状に形成される。図３Ｂが示す例では、隠蔽層５１は、券紙５０Ｂの右側にベルト状に形成される。なお、隠蔽層５１が形成される位置又は形状は、特定の構成に限定されるものではない。
【００４２】
上記したように、券紙５０Ｂの一方の面（全面）は、感熱媒体に対応する可視領域５４であり、外部から熱を加えられると、感熱媒体が所定の色に変化するが、同様に、隠蔽層５１に含まれる可視領域５４に対応する感熱媒体も所定の色に変化する。所定の専用光（第２光）は複製防止画像を透過するので、この専用光により、複製防止画像下の感熱媒体の変色に対応する反射光を得ることができる。即ち、隠蔽層５１（第２記録領域）は、所定の専用光を用いて情報（コード）が読み取られる層である（専用光により情報が読み取り可能となる記録領域である）。専用光は、たとえば、肉眼では認識されない不可視光である。専用光は、たとえば、紫外線又は赤外線などであり第２波長帯を有する。なお、専用光は、複製防止画像下の感熱媒体の変化に対応する反射光を得ることができるならば可視光であってもよいが、その場合、後述する通常光の可視光（複製防止画像下の感熱媒体の変化に対応する反射光を得ることができない可視光）の波長帯とは異なる波長帯を有する。専用光の構成は、特定の構成に限定されるものではない。
【００４３】
券紙識別用コード５２（第１コード）は、券紙５０Ｂが所定の種別であることを示す。券紙識別用コード５２は、たとえば、二次元コードなどである。ここでは、券紙識別用コード５２は、券紙５０Ｂが隠蔽層５１を含む複製防止型券紙（第２種別）であることを示す。
【００４４】
券紙識別用コード５２は、隠蔽層５１上に形成される。そのため、券紙識別用コード５２は、専用光を用いて読み取られる。
【００４５】
券紙識別用コード５２は、所定の間隔で隠蔽層５１上に形成される。たとえば、券紙識別用コード５２は、券紙５０Ｂがカットされ所定サイズの券媒体２となった場合でも券媒体２上に少なくとも１つは存在するように、隠蔽層５１上に形成される。即ち、所定サイズ（長方形）の一辺の長さは、所定の間隔の２倍より長い。
【００４６】
券紙識別用コード５２が形成される位置及び間隔は、特定の構成に限定されるものではない。
【００４７】
隠蔽層５１及び券紙識別用コード５２は、券紙５０Ｂの製造時において、券紙５０Ｂ上に形成される。即ち、券紙５０Ｂは、隠蔽層５１及び券紙識別用コード５２を有する状態で、収容部３１に収容される。
【００４８】
専用光リーダ３２（第２光リーダ）は、隠蔽層５１のコードを読み取るリーダである。たとえば、専用光リーダ３２は、専用光を用いて隠蔽層５１上の券紙識別用コード５２を読み取る。たとえば、専用光リーダ３２は、専用光を対象物に照射しその反射光を取得することで、券紙識別用コード５２を読み取る。
【００４９】
専用光リーダ３２は、カット部３３よりも上流に位置する。ここでは、上流は、収容部３１側を示す。即ち、収容部３１から排出された券紙５０Ｂがカットされる前に、券紙５０Ｂから券紙識別用コード５２を読み取る。
【００５０】
なお、専用光リーダ３２は、専用光を用いて隠蔽層５１以外に形成される二次元コードを読み取れるものであってもよい。また、専用光リーダ３２は、専用光以外の通常光（第１光）（たとえば、可視光であって第１波長帯を有する）を用いて二次元コードを読み取れる機能をさらに有してもよい。通常光は、複製防止画像を透過することはできず、複製防止画像下の感熱媒体の変色に対応する反射光を得ることができない。よって、隠蔽層５１（第２印刷領域）は、通常光による情報の読み取りを防止することができる。通常光は、複製防止画像が印刷されていない可視領域５４（第１印刷領域）の情報を読み取ることができる。
【００５１】
カット部３３（切出部）は、券紙５０Ａ又は５０Ｂから所定の長さの券媒体を切り出す。カット部３３は、第１搬送部３９が搬送する券紙５０Ａ又は５０Ｂを所定のタイミングでカットしてもよい。また、カット部３３は、券紙５０Ａ又は５０Ｂの先端が所定の距離移動したことを検知して券紙５０Ａ又は５０Ｂをカットしてもよい。たとえば、カット部３３は、券紙５０Ａ又は５０Ｂをカットする刃などを備える。
【００５２】
カット部３３は、専用光リーダ３２よりも下流に配置される。ここでは、下流は、排出部３８側を示す。
【００５３】
カット部３３がカットした券紙５０Ａ又は５０Ｂは、券媒体２として搬送される。
【００５４】
印刷部３４は、ＣＰＵ１１からの信号に基づいて券媒体２に文字又は二次元コードなどを印刷する。印刷部３４は、券媒体２を加熱することで券媒体２に文字又は二次元コードする。
【００５５】
印刷部３４は、乗車券情報を示す二次元コード（乗車券コード）（第２コード）を少なくとも一部は隠蔽層５１に印刷する。また、印刷部３４は、隠蔽層５１以外に乗車券情報を示す文字又は数字などを印刷してもよい。
【００５６】
印刷部３４は、カット部３３の下流に配置される。即ち、印刷部３４は、カット部３３が券媒体２を切り出した後に、券媒体２に印刷する。
【００５７】
通常光リーダ３５（第１光リーダ）は、通常光を用いて乗車券コードを読み取る。たとえば、通常光リーダ３５は、通常光を対象物に照射しその反射光を取得することで、乗車券コードを読み取る。
【００５８】
通常光リーダ３５は、印刷部３４の下流に配置される。即ち、通常光リーダ３５は、印刷部３４が乗車券コードを券媒体２に印刷した後に、券媒体２から乗車券コードを読み取る。
【００５９】
搬送制御部３６は、第１搬送部３９が券媒体２を搬送する方向を制御する。たとえば、搬送制御部３６は、券媒体２の方向を変えるレバーなどである。搬送制御部３６は、券媒体２が搬送される搬送先を回収部３７又は排出部３８の何れかに制御する。
【００６０】
回収部３７は、適切な券紙でないと判定された券紙（以下説明するが券紙５０Ａ等）（券媒体２）（廃券）を回収する。回収部３７は、廃券を収納する廃券収納部などを備えてもよい。回収部３７は、発券機１の外部にある廃券収納部へ廃券を投入してもよい。
【００６１】
排出部３８は、券媒体２を利用者へ提供する。たとえば、排出部３８は、利用者が取得可能なように券媒体２を露出させる。たとえば、排出部３８は、外部に露出する受け皿などである。
【００６２】
第１搬送部３９は、発行部２１内で券媒体２を搬送する。たとえば、第１搬送部３９は、券媒体２を収容部３１から、専用光リーダ３２、印刷部３４及び通常光リーダ３５へ搬送する。また、第１搬送部３９は、搬送制御部３６の動作に基づいて、券媒体２を回収部３７又は排出部３８へ搬送する。なお、第１搬送部３９は、カット部３３まで券紙５０Ａ又は５０Ｂの先端を搬送してもよい。
【００６３】
第１搬送部３９は、たとえば、搬送ローラ、搬送ベルト、又は、ピックアップローラなどを備えてもよい。
【００６４】
次に、ＣＰＵ１１が実現する機能について説明する。
【００６５】
ＣＰＵ１１は、コードリーダ３０が券紙５０Ａ又は５０Ｂからコードを読み取れたか否かに基づいて券紙５０Ａ又は５０Ｂが適切であるか否かを判定する機能を有する（判定部）。
【００６６】
即ち、ＣＰＵ１１は、コードリーダ３０が券紙５０Ａ又は５０Ｂからのコードの読み取り結果に基づいて、供給される券紙が券紙５０Ａ及び５０Ｂの何れに該当するのかを判定（券紙の種別を判定）する。
【００６７】
たとえば、ＣＰＵ１１は、供給される券紙が券紙５０Ｂであればコードの少なくとも一部を供給される券紙の所定位置（隠蔽層５１）に印刷することにより券媒体の複製が防止されるので、適切な券紙であると判定する。他方、ＣＰＵ１１は、供給される券紙が券紙５０Ａであると判定した場合、不適切な券紙であると判定する。
【００６８】
たとえば、ＣＰＵ１１は、コードリーダ３０の専用光リーダ３２を用いて供給される券紙５０Ａ又は５０Ｂから券紙識別用コード５２の読み取りを試行する。券紙識別用コード５２は、券紙が複製防止型券紙であることを示す。したがって、ＣＰＵ１１は、券紙識別用コード５２を読み取れた場合には、供給される券紙が適切な券紙５０Ｂであると判定する。他方、ＣＰＵ１１は、券紙識別用コード５２を読み取れない場合には、供給される券紙が適切でない券紙５０Ａと判定する。
【００６９】
また、ＣＰＵ１１は、コードリーダ３０の通常光リーダ３５を用いて供給される券紙５０Ａ又は５０Ｂから乗車券コードを読み取る。たとえば、ＣＰＵ１１は、切り出された券紙５０Ａ又は５０Ｂ（券媒体２）から乗車券コードを読み取る。供給される券紙が券紙５０Ｂであれば、乗車券コードは、少なくとも一部、隠蔽層５１に印刷される。したがって、供給される券紙が券紙５０Ｂであれば、乗車券コードは、専用光を用いなければ読み取ることができない。そのため、乗車券コードが通常光リーダ３５で読み取られれば、供給される券紙は、隠蔽層５１を有しない券紙５０Ａ、又は、適切な位置に隠蔽層５１を有していない不良券紙と判定される。したがって、ＣＰＵ１１は、乗車券コードが通常光リーダ３５で読み取れた場合には、供給される券紙が適正ではない券紙５０Ａ等と判定する。他方、ＣＰＵ１１は、乗車券コードが通常光リーダ３５で読み取れない場合には、供給される券紙が適正な券紙５０Ｂであると判定する。
【００７０】
また、ＣＰＵ１１は、券紙の種別の判定結果に基づいて、供給される券紙を用いての、コードを記録した券媒体の発行（発券）動作を制御する（発券制御部）。
【００７１】
たとえば、ＣＰＵ１１は、供給された券紙が券紙５０Ｂであると判定すると、コードを記録した券媒体を発行する。
【００７２】
他方、ＣＰＵ１１は、供給される券紙が券紙５０Ａであると判定した場合、券媒体を発行（発券）しないように発行部２１の発行動作を制御する。たとえば、ＣＰＵ１１は、供給される券紙がセットされた後に、供給された券紙が不適切であることを表示してもよい。また、ＣＰＵ１１は、券紙から形成される券媒体２を回収部３７に搬送してもよい。
【００７３】
次に、発券機１の動作例について説明する。
【００７４】
ここでは、発券機１の収容部３１は、券紙５０Ａ又は５０Ｂを収納していないものとする。また、駅の係員は、二次元コードを印刷した券媒体を発券する正しい手順として、発券機１の収容部３１に券紙５０Ｂをセットするものとするが、誤って券紙５０Ａをセットしてしまうことがある。以下、券紙５０Ａ又は５０Ｂがセットされることを想定し説明する。
【００７５】
まず、発券機１のＣＰＵ１１は、収容部３１に券紙５０Ａ又は５０Ｂがセットされるまで待機する。たとえば、ＣＰＵ１１は、収容部３１内に設置されるセンサなどを用いて券紙５０Ａ又は５０Ｂがセットされたか検知する。
【００７６】
収容部３１に券紙５０Ａ又は５０Ｂがセットされたことを検知すると、ＣＰＵ１１は、収容部３１の軸若しくは搬送ローラ、又は第１搬送部３９を動作させ、専用光リーダ３２がある位置まで券紙５０Ａ又は５０Ｂの先端を移動させる。即ち、ＣＰＵ１１は、専用光リーダ３２が券紙識別用コード５２を読み取ることができる位置まで券紙５０Ａ又は５０Ｂの先端を移動させる。
【００７７】
たとえば、ＣＰＵ１１は、収容部３１の軸又は搬送ローラを作動させ、収容部３１から券紙５０Ａ又は５０Ｂの先端を排出させてもよい。その後、ＣＰＵ１１は、第１搬送部３９を動作させ、券紙５０Ａ又は５０Ｂを専用光リーダ３２の位置まで移動させてもよい。
【００７８】
なお、駅の係員は、券紙５０Ａ又は５０Ｂの先端を専用光リーダ３２の位置まで伸ばした状態で券紙５０Ａ又は５０Ｂをセットしてもよい。
【００７９】
券紙５０Ａ又は５０Ｂを専用光リーダ３２の位置まで移動させると、ＣＰＵ１１は、専用光リーダ３２を用いて券紙識別用コード５２を読み取る。たとえば、ＣＰＵ１１は、専用光リーダ３２を用いて、専用光を券紙５０Ａ又は５０Ｂに照射し反射光を取得する。
【００８０】
ＣＰＵ１１は、券紙５０Ａ又は５０Ｂから券紙識別用コード５２を読み取れたか判定する。即ち、ＣＰＵ１１は、セットされた券紙に券紙識別用コード５２が存在するか判定する。セットされた券紙に券紙識別用コード５２が存在すれば、セットされた券紙は、適切な券紙（券紙５０Ｂ）である。他方、セットされた券紙に券紙識別用コード５２が存在しなければ、セットされた券紙は、不適切な券紙（券紙５０Ａ等）である。
【００８１】
券紙識別用コード５２を読み取れないと判定すると、ＣＰＵ１１は、セットされた券紙に基づく券媒体を発券しないように発行部２１を制御し、セットされた券紙（例えば券紙５０Ａ）が不適切である旨を表示する。たとえば、ＣＰＵ１１は、セットされた券紙が不適切であることを示すメッセージを表示部１６に表示する。また、ＣＰＵ１１は、適切な券紙をセットするように促すメッセージを表示してもよい。なお、券紙識別用コード５２を読み取れた場合であっても、ＣＰＵ１１は、券紙識別用コード５２が適切な種別を示していない場合には、セットされた券紙が不適切である旨を表示してもよい。
【００８２】
また、券紙識別用コード５２を読み取れないと判定すると、ＣＰＵ１１は、券媒体２の発券を停止する。即ち、ＣＰＵ１１は、券媒体２の切り出し、又は、券媒体２への印刷などを行わない。
【００８３】
券紙識別用コード５２を読み取れたと判定すると、ＣＰＵ１１は、操作部１７を通じて券媒体２の発券を指示する発券操作を受け付けるまで待機する。なお、ＣＰＵ１１は、適切な券紙（即ち券紙５０Ｂ）がセットされた旨を表示してもよい。
【００８４】
ＣＰＵ１１は、操作部１７を通じて、発券操作として、利用者から乗車券情報の入力を受け付ける。発券操作を受け付けると、ＣＰＵ１１は、カードリーダライタ１９又は金額処理部２０を通じて、発券操作によって受け付けられた乗車券情報に対応する乗車料金の支払いを受け付ける。
【００８５】
乗車料金の支払いを受け付けると、ＣＰＵ１１は、第１搬送部３９を動作させ、券紙５０Ａ又は５０Ｂの先端をカット部３３の位置まで移動させる。即ち、ＣＰＵ１１は、カット部３３が券紙５０Ａ又は５０Ｂをカットして券媒体２を切り出せる位置まで、券紙５０Ａ又は５０Ｂの先端を移動させる。
【００８６】
券紙５０Ａ又は５０Ｂの先端をカット部３３の位置まで移動させると、ＣＰＵ１１は、カット部３３を用いて券紙５０Ａ又は５０Ｂを所定の幅でカットし券媒体２を切り出す。ＣＰＵ１１は、券紙５０Ａ又は５０Ｂの位置を検知するセンサなどを用いて、券紙５０Ａ又は５０Ｂをカットするタイミングを決定してもよい。また、ＣＰＵ１１は、第１搬送部３９を用いて券紙５０Ａ又は５０Ｂの先端を所定の時間移動させた後に券紙５０Ａ又は５０Ｂをカットしてもよい。
【００８７】
券媒体２を切り出すと、ＣＰＵ１１は、第１搬送部３９を用いて券媒体２を印刷部３４の位置まで搬送する。即ち、ＣＰＵ１１は、印刷部３４が乗車券コードを印刷することができる位置まで券媒体２を搬送する。
【００８８】
券媒体２を印刷部３４の位置まで搬送すると、ＣＰＵ１１は、印刷部３４を用いて乗車券コードを券媒体２に印刷する。たとえば、ＣＰＵ１１は、入力された乗車券情報を示す乗車券コードを生成する。ＣＰＵ１１は、印刷部３４を用いて、生成された乗車券コードを券媒体２に印刷する。ＣＰＵ１１は、乗車券コードの少なくとも一部を隠蔽層５１上に印刷する。なお、ＣＰＵ１１は、乗車券コードのすべてを隠蔽層５１上に印刷してもよい。
【００８９】
また、ＣＰＵ１１は、印刷部３４を用いて、隠蔽層５１以外の領域（可視領域）に乗車券情報を印刷してもよい。たとえば、ＣＰＵ１１は、可視領域に、乗車券情報として、鉄道会社名、発行駅名、又は、料金などを印刷してもよい。また、ＣＰＵ１１は、可視領域に他の情報を印刷してもよい。
【００９０】
乗車券コードを券媒体２に印刷すると、ＣＰＵ１１は、第１搬送部３９を用いて券媒体２を通常光リーダ３５の位置まで搬送する。即ち、ＣＰＵ１１は、通常光リーダ３５が乗車券コードを読み取ることができる位置まで券媒体２を搬送する。
【００９１】
券媒体２を通常光リーダ３５の位置まで搬送すると、ＣＰＵ１１は、通常光リーダ３５を用いて、印刷部３４が印刷した乗車券コードを読み取る。たとえば、ＣＰＵ１１は、通常光リーダ３５を用いて、通常光を券媒体２に照射し反射光を取得する。
【００９２】
ＣＰＵ１１は、通常光リーダ３５を用いて券媒体２から乗車券コードを読み取れたか判定する。即ち、ＣＰＵ１１は、通常光で読み取れる乗車券コードが券媒体２上に存在するか判定する。
【００９３】
乗車券コード５３を読み取れないと判定すると、ＣＰＵ１１は、券媒体２が排出部３８へ送られるように搬送制御部３６をセットする。たとえば、ＣＰＵ１１は、搬送制御部３６を構成するレバーを排出部３８に向ける。
【００９４】
券媒体２が排出部３８へ送られるように搬送制御部３６をセットすると、ＣＰＵ１１は、第１搬送部３９を用いて、券媒体２を排出部３８へ搬送する。ＣＰＵ１１は、排出部３８を通じて外部へ券媒体２を放出する。
【００９５】
他方、通常光リーダ３５を用いて券媒体２から乗車券コードを読み取れたと判定すると、ＣＰＵ１１は、券媒体２が回収部３７へ送られるように搬送制御部３６をセットする。たとえば、ＣＰＵ１１は、搬送制御部３６を構成するレバーを回収部３７に向ける。
【００９６】
券媒体２が回収部３７へ送られるように搬送制御部３６をセットすると、ＣＰＵ１１は、第１搬送部３９を用いて、券媒体２を廃券として回収部３７へ搬送する。たとえば、ＣＰＵ１１は、回収部３７内の廃券収納部に券媒体２を搬送する。また、ＣＰＵ１１は、回収部３７を通じて、券媒体２を回収部３７に接続する外部の廃券収納部に搬送してもよい。
【００９７】
なお、通常光リーダ３５を用いて券媒体２から乗車券コードを読み取れたと判定すると、ＣＰＵ１１は、セットされた券紙（例えば券紙５０Ａ）が不適切である旨を表示してもよい。たとえば、ＣＰＵ１１は、表示部１６を通じて、セットされた券紙が不適切であることを示すメッセージを表示する。また、発券機１が利用客によって操作される自動券売機などである場合、ＣＰＵ１１は、表示部１６を通じて、駅の係員に対応してもらうことを促すメッセージを表示してもよい。
【００９８】
券媒体２を排出部３８へ放出した場合、又は、券媒体２を回収部３７へ搬送した場合、ＣＰＵ１１は、動作を終了する。
【００９９】
次に、排出部３８から放出された券媒体２について説明する。  
図４は、排出部３８から放出された券媒体２の構成例を示す。  
図４が示すように、券媒体２は、隠蔽層５１、券紙識別用コード５２、乗車券コード５３及び可視領域５４などを備える。
【０１００】
隠蔽層５１及び券紙識別用コード５２は、前述の通りである。
【０１０１】
乗車券コード５３は、乗車券情報を示す二次元コードである。乗車券コード５３は、印刷部３４によって印刷される。図４が示すように、乗車券コード５３は、部分的に隠蔽層５１上に形成される。
【０１０２】
可視領域５４は、前述の通り、隠蔽層５１以外の領域である。可視領域５４は、乗車券情報を印字される。図４が示す例において、可視領域５４は、乗車券情報として、鉄道会社名、発行駅名、及び、料金を印字されている。なお、可視領域５４は、他の情報を印字されてもよい。
【０１０３】
なお、発行部２１は、通常光リーダ３５を備えなくともよい。この場合、ＣＰＵ１１は、通常光によって乗車券コードを読み取れるか否かの判定を行わない。そのため、ＣＰＵ１１は、券媒体２に乗車券コードなどを印刷した後、券媒体２を排出部３８へ搬送する。
【０１０４】
また、発行部２１は、専用光リーダ３２を備えなくともよい。この場合、ＣＰＵ１１は、券紙５０Ａ又は５０Ｂが収容部３１にセットされた際に、券紙識別用コード５２を読み取れるか否かの判定を行わない。
【０１０５】
また、発行部２１は、通常光リーダ３５より下流に第２専用光リーダを備えてもよい。この場合、ＣＰＵ１１は、第２専用光リーダを用いて適切に乗車券コードが券媒体２に印刷されているか判定してもよい。
【０１０６】
また、収容部３１は、所定の幅に裁断された券紙５０Ａ又は５０Ｂを収容してもよい。この場合、発券機１は、カット部３３を備えなくともよい。たとえば、ＣＰＵ１１は、収容部３１に券紙５０Ａ又は５０Ｂが収容された際に、収容部３１から券紙５０Ａ又は５０Ｂを取得し、券紙識別用コード５２の読み取りを試行してもよい。
【０１０７】
以上のように構成された発券機は、券紙を収容部にセットした際に、券紙識別用コードの有無をチェックすることができる。その結果、発券機は、係員が誤って又は故意に不適切な券紙をセットした場合に、発券を停止することができる。そのため、発券機は、不適切な券紙を用いて発券することを防止することができる。
【０１０８】
また、発券機は、券媒体を発券する際に、通常光で乗車券コードが読み取れないかチェックする。その結果、発券機は、発券ごとに券紙が適切であるかチェックすることができる。そのため、発券機は、先端部にのみ券紙識別用コードを付した不正な券紙がセットされた場合でも、当該券紙を用いて券媒体を発券してしまうことを防止することができる。
【０１０９】
以上の通り、発券機は、安全に券媒体を発行することができる。
【０１１０】
（第２実施形態）
次に、第２実施形態について説明する。  
第２実施形態に係る発券機１は、券媒体２を切り出した後に専用光リーダ３２で券紙識別用コード５２の有無をチェックする点で第１実施形態に係る発券機１と異なる。したがって、その他の点については、同一の符号を付して詳細な説明を省略する。
【０１１１】
図５は、第２実施形態に係る発行部２１の構成例を示すブロック図である。  
図５が示すように、専用光リーダ３２は、カット部３３よりも下流にある。即ち、専用光リーダ３２は、カット部３３が券媒体２を切り出した後に、券媒体２から券紙識別用コード５２を読み取る。
【０１１２】
印刷部３４は、専用光リーダ３２よりも下流に位置する。
【０１１３】
次に、発券機１の動作例について説明する。  
ここでは、発券機１の収容部３１は、券紙５０Ａ又は５０Ｂを格納しているものとする。なお、発券機１のＣＰＵ１１は、収容部３１から券紙５０Ａ又は５０Ｂを取出し、カット部３３まで券紙５０Ａ又は５０Ｂの先端を搬送しておいてもよい。
【０１１４】
まず、ＣＰＵ１１は、操作部１７を通じて券媒体２の発券を指示する発券操作を受け付けるまで待機する。
【０１１５】
発券操作を受け付けると、ＣＰＵ１１は、第１搬送部３９を動作させ、券紙５０Ａ又は５０Ｂの先端をカット部３３の位置まで移動させる。券紙５０Ａ又は５０Ｂの先端をカット部３３の位置まで移動させると、ＣＰＵ１１は、カット部３３を用いて券紙５０Ａ又は５０Ｂを所定の幅でカットし券媒体２を切り出す。
【０１１６】
券媒体２を切り出すと、ＣＰＵ１１は、専用光リーダ３２の位置まで券媒体２を搬送する。専用光リーダ３２の位置まで券媒体２を搬送すると、ＣＰＵ１１は、専用光リーダ３２を用いて券紙識別用コード５２を読み取る。
【０１１７】
ＣＰＵ１１は、券紙５０Ａ又は５０Ｂから券紙識別用コード５２を読み取れたか判定する。
【０１１８】
券紙識別用コード５２を読み取れないと判定すると、ＣＰＵ１１は、券媒体２への印刷などを行わない。
【０１１９】
券紙識別用コード５２を読み取れたと判定すると、ＣＰＵ１１は、第１搬送部３９を用いて印刷部３４の位置まで券媒体２を搬送する。印刷部３４の位置まで券媒体２を搬送すると、ＣＰＵ１１は、印刷部３４を用いて乗車券コードを券媒体２に印刷する。乗車券コードを券媒体２に印刷すると、ＣＰＵ１１は、通常光リーダ３５を用いて、印刷部３４が印刷した乗車券コードを読み取る。
【０１２０】
乗車券コード５３を読み取れないと判定すると、ＣＰＵ１１は、券媒体２が排出部３８へ送られるように搬送制御部３６をセットする。券媒体２が排出部３８へ送られるように搬送制御部３６をセットすると、ＣＰＵ１１は、第１搬送部３９を用いて、券媒体２を排出部３８へ搬送する。ＣＰＵ１１は、排出部３８を通じて外部へ券媒体２を放出する。
【０１２１】
通常光リーダ３５を用いて券媒体２から乗車券コードを読み取れたと判定した場合、又は、専用光リーダ３２を用いて券紙識別用コード５２を読み取れないと判定した場合、ＣＰＵ１１は、券媒体２が回収部３７へ送られるように搬送制御部３６をセットする。券媒体２が回収部３７へ送られるように搬送制御部３６をセットすると、ＣＰＵ１１は、第１搬送部３９を用いて、券媒体２を廃券として回収部３７へ搬送する。
【０１２２】
なお、通常光リーダ３５を用いて券媒体２から乗車券コードを読み取れたと判定した場合、又は、専用光リーダ３２を用いて券紙識別用コード５２を読み取れないと判定した場合、ＣＰＵ１１は、セットされた券紙（例えば券紙５０Ａ）が不適切である旨を表示してもよい。
【０１２３】
券媒体２を排出部３８へ放出した場合、又は、券媒体２を回収部３７へ搬送した場合、ＣＰＵ１１は、動作を終了する。
【０１２４】
以上のように構成された発券機は、券紙から券媒体を切り出した後に、専用光を用いて券紙識別用コードを読み取る。そのため、発券機は、券媒体を発行する度に、券紙識別用コードをチェックすることができる。したがって、発券機は、より安全に券媒体を発行することができる。
【０１２５】
（第３実施形態）
次に、第３実施形態について説明する。
【０１２６】
第３実施形態に係る発券機１は、兼用リーダを用いて券紙識別用コード及び乗車券コードを読み取る点で、第２実施形態に係る発券機１と異なる。したがって、その他の点については、同一の符号を付して詳細な説明を省略する。
【０１２７】
図６は、第３実施形態に係る発行部２１の構成例を示すブロック図である。
【０１２８】
図６が示すように、発行部２１は、さらに、第２搬送部４１などを備える。また、発行部２１のコードリーダ３０は、兼用リーダ４０などを備える。
【０１２９】
兼用リーダ４０は、通常光及び専用光を用いて券媒体２からバーコードを読み取る。即ち、兼用リーダ４０は、ＣＰＵ１１からの信号に基づいて、バーコードの読み取りに用いる光を通常光又は専用光のいずれかに設定する。
【０１３０】
兼用リーダ４０は、専用光を用いて券媒体２から券紙識別用コード５２を読み取る。また、兼用リーダ４０は、通常光を用いて券媒体２から乗車券コードを読み取る。
【０１３１】
兼用リーダ４０は、カット部３３の下流に配置される。また、兼用リーダ４０は、印刷部３４の上流に配置される。
【０１３２】
第２搬送部４１は、乗車券コードが印刷された券媒体２を兼用リーダ４０の位置に搬送する。即ち、第２搬送部４１は、点Ａにある券媒体２を点Ｂに搬送する。兼用リーダ４０は、点Ａと点Ｂとの間に位置する。なお、第２搬送部４１の機能は、第１搬送部３９を用いて券媒体２を印刷部３４の位置から兼用リーダ４０の位置に戻すことによって実現されてもよい。
【０１３３】
なお、発券機１のコードリーダ３０は、専用光リーダ３２及び通常光リーダ３５を備えなくともよい。
【０１３４】
次に、発券機１の動作例について説明する。  
ここでは、発券機１の収容部３１は、券紙５０Ａ又は５０Ｂを格納しているものとする。なお、発券機１のＣＰＵ１１は、収容部３１から券紙５０Ａ又は５０Ｂを取出し、カット部３３まで券紙５０Ａ又は５０Ｂの先端を搬送しておいてもよい。
【０１３５】
まず、ＣＰＵ１１は、操作部１７を通じて券媒体２の発券を指示する発券操作を受け付けるまで待機する。
【０１３６】
発券操作を受け付けると、ＣＰＵ１１は、第１搬送部３９を動作させ、券紙５０Ａ又は５０Ｂの先端をカット部３３の位置まで移動させる。券紙５０Ａ又は５０Ｂの先端をカット部３３の位置まで移動させると、ＣＰＵ１１は、カット部３３を用いて券紙５０Ａ又は５０Ｂを所定の幅でカットし券媒体２を切り出す。
【０１３７】
券媒体２を切り出すと、ＣＰＵ１１は、第１搬送部３９を用いて兼用リーダ４０の位置まで券媒体２を搬送する。即ち、ＣＰＵ１１は、兼用リーダ４０が券紙識別用コード５２を読み取ることができる位置まで券媒体２を搬送する。
【０１３８】
兼用リーダ４０の位置まで券媒体２を搬送すると、ＣＰＵ１１は、専用光を用いてバーコードを読み取るように兼用リーダ４０を設定する。たとえば、ＣＰＵ１１は、専用光を用いることを示す信号を兼用リーダ４０に送信する。
【０１３９】
専用光を用いてバーコードを読み取るように兼用リーダ４０を設定すると、ＣＰＵ１１は、兼用リーダ４０を用いて券紙識別用コード５２を読み取る。
【０１４０】
ＣＰＵ１１は、券紙５０Ａ又は５０Ｂから券紙識別用コード５２を読み取れたか判定する。
【０１４１】
券紙識別用コード５２を読み取れないと判定すると、ＣＰＵ１１は、券媒体２への印刷などを行わない。
【０１４２】
券紙識別用コード５２を読み取れたと判定すると、ＣＰＵ１１は、第１搬送部３９を用いて印刷部３４の位置まで券媒体２を搬送する。印刷部３４の位置まで券媒体２を搬送すると、ＣＰＵ１１は、印刷部３４を用いて乗車券コードを券媒体２に印刷する。
【０１４３】
乗車券コードを券媒体２に印刷すると、ＣＰＵ１１は、第２搬送部４１を用いて券媒体２を兼用リーダ４０の位置まで搬送する。即ち、ＣＰＵ１１は、兼用リーダ４０が乗車券コードを読み取ることができる位置まで券媒体２を搬送する。
【０１４４】
兼用リーダ４０の位置まで券媒体２を搬送すると、ＣＰＵ１１は、通常光を用いてバーコードを読み取るように兼用リーダ４０を設定する。たとえば、ＣＰＵ１１は、通常光を用いることを示す信号を兼用リーダ４０に送信する。
【０１４５】
通常光を用いてバーコードを読み取るように兼用リーダ４０を設定すると、ＣＰＵ１１は、兼用リーダ４０を用いて、印刷部３４が印刷した乗車券コードを読み取る。
【０１４６】
乗車券コード５３を読み取れないと判定すると、ＣＰＵ１１は、券媒体２が排出部３８へ送られるように搬送制御部３６をセットする。券媒体２が排出部３８へ送られるように搬送制御部３６をセットすると、ＣＰＵ１１は、第１搬送部３９を用いて、券媒体２を排出部３８へ搬送する。ＣＰＵ１１は、排出部３８を通じて外部へ券媒体２を放出する。
【０１４７】
券媒体２から乗車券コードを読み取れたと判定した場合、又は、券媒体２から券紙識別用コード５２を読み取れないと判定した場合、ＣＰＵ１１は、券媒体２が回収部３７へ送られるように搬送制御部３６をセットする。券媒体２が回収部３７へ送られるように搬送制御部３６をセットすると、ＣＰＵ１１は、第１搬送部３９を用いて、券媒体２を廃券として回収部３７へ搬送する。
【０１４８】
なお、券媒体２から乗車券コードを読み取れたと判定した場合、又は、券媒体２から券紙識別用コード５２を読み取れないと判定した場合、ＣＰＵ１１は、セットされた券紙（例えば券紙５０Ａ）が不適切である旨を表示してもよい。
【０１４９】
券媒体２を排出部３８へ放出した場合、又は、券媒体２を回収部３７へ搬送した場合、ＣＰＵ１１は、動作を終了する。
【０１５０】
以上のように構成された発券機は、兼用リーダを用いて券媒体から券紙識別用コードと乗車券コードとを読み取る。その結果、発券機は、通常光を用いるリーダと専用光を用いるリーダとをそれぞれ備えなくともよい。したがって、発券機は、リーダのコストを軽減することができる。
【０１５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５２】
１…発券機、２…券媒体、１１…ＣＰＵ、１６…表示部、１７…操作部、２０…金額処理部、２１…発行部、３０…コードリーダ、３１…収容部、３２…専用光リーダ、３３…カット部、３４…印刷部、３５…通常光リーダ、３６…搬送制御部、３７…回収部、３８…排出部、３９…第１搬送部、４０…兼用リーダ、４１…第２搬送部、５０Ａ…券紙（第１種別）、５０Ｂ…券紙（第２種別）、５１…隠蔽層、５２…券紙識別用コード、５３…乗車券コード、５４…可視領域。
【図１】
2016133931.tif 000003
【図２】
2016133931.tif 000004
【図３Ａ】
2016133931.tif 000005
【図３Ｂ】
2016133931.tif 000006
【図４】
2016133931.tif 000007
【図５】
2016133931.tif 000008
【図６】
2016133931.tif 000009